(57)【要約】      （修正有）【課題】内容物を移すための専用用具を選ばず、スプーン等小分け用具に付着した内容物を容器に戻す事で無駄を無くし余計な手間もかからないプルトップ式中蓋を提供する。【解決手段】ゲル状の流動性の低い物品が入れられるプルトップ式容器の中蓋部を引き剥がした跡の、容器頭部の外周には小分け用具の頭部凹部に合致した複数の凸部形状が設けられてあることを特徴とする。【選択図】図1
0003148670.tif 000002
【実用新案登録請求の範囲】
【請求項１】
ゲル状の流動性の低い物品が入れられるプルトップ式容器の中蓋部を引き剥がした跡の、容器頭部の外周には小分け用具の頭部凹部に合致した複数の凸部形状が設けられてあることを特徴とするプルトップ式中蓋。
１
【考案の詳細な説明】
【技術分野】
【０００１】
本考案はゲル状の流動性の低い物品の入れられた容器の中蓋に関する。
【背景技術】
【０００２】
従来の容器は、ゲル状の物品を容器から取り出すたびに、使用したスプーンなどの      
小分け用具に物品が付着してしまう為、いちいち洗ったり拭き取ったりしなければな      
らなず手間がかかる。
そのたびに物品に無駄が出るばかりか、排水口や排水口に取り付けるネットに目詰    まりを起こしたり、流れ出した内容物で排水を汚してしまいその結果、環境にも悪影    響を及ぼしてしまう。
なお関連技術に下記物件がある。
【特許文献１】特開２００４−１６８３８３号公報
【特許文献２】特開２００７−１３７５１０号公報      上記１特許文献１は、中段に弾性パッキン１５と隔離壁１７を備えたパッキン付ス    プーン１１と、弾性パッキンよりやや小径の凹部１６を備えた凹部付蓋１２の構成で    あって、パッキン付スプーンの弾性パッキンは凹部付蓋の凹部に着脱自在であり、そ    れらが嵌合状態にある時は完全に密閉状態となり、スプーンの掬い部は容器内にスプ    ーンの柄部は容器外にそれぞれ位置しているスプーンと容器の蓋。      さらに特許文献２には、粉粒物が収容された容器本体の略４角形の上面開口部を開    閉する蓋部材の裏面に、粉粒物を取り出すための柄部と掬い部とからなるスプーンを    着脱可能に取り付けたスプーン付き容器であって、前記スプーンは、閉蓋状態で前記    掬い部の開口側を前記容器本体の底部に向け、前記柄部の前記掬い部とは反対側の端    部を前記蓋部材の角部近傍部分に取着して、前記柄部を前記蓋部材の裏面に対して傾    斜させた状態で略４角形の前記蓋部材の対角線方向に取り付けられているスプーン付    き容器。
【考案の開示】
【考案が解決しようとする課題】
【０００３】
従来の容器は、ゲル状の物品を取り出すたびに使用したスプーンなどの小分け用具      
に物品が付着してしまう為、いちいち洗ったり拭き取ったりする手間がかかる。
そのたびに物品に無駄が出るばかりか、排水口や排水口などに取り付けるネットに    目詰まりを起こしたり、流れ出した物品で排水を汚してしまいその結果、環境にも悪    影響を及ぼしてしまう。
さらに上記特許文献１では、内容物を一度容器に移し替えなければ成らず、その際    に空気にふれてしまう。その上内容物が減ってきた場合、スプーンが内容物から出て    しまうので、乾燥したり空気にさらされて内容物の品質が劣化する。また容器を完全    
２    
に密封できないばかりか、スプーンを収納した形状が不安定で、容器の上にスプーン    の柄が出ているので、さらに収納が困難である。また、使用するスプーンは専用のも    のが必要となり、その他の形状や大きさの違うスプーンに対応できない。
さらに特許文献２でも、内容物を一度容器に移し替えなければならず、その際に空    気にふれてしまう。スプーンを蓋の裏に収納するものであって、専用のスプーンを使    用しなければならず、内容物がゲル状のものはそのまま収納すると、蓋に内容物が付    着して汚したり、不衛生な為に使うたびにふき取るか洗浄してから収納する必要があ    る。
本考案ではプルトップ式中蓋を取り付けることにより、内容物を移し替えるための      
専用用具を選ばず、小分け用具に付着した内容物を容器に戻す事で無駄を無くし余計    な手間もかからない事を目的とするものである。
【課題を解決するための手段】
【０００４】
本考案は上記課題を解決するために、ゲル状の流動性の低い物品が入れられるプル
トップ式容器の中蓋部を引き剥がした跡の容器頭部の外周には小分け用具の頭部凹部    に合致した複数の凸部形状が設けられてあることを特徴とするプルトップ式中蓋。
【考案の効果】
【０００５】
本考案は上記構成から成るので以下に示す効果が期待できる。
１．小分けした内容物を容器に戻すため無駄が出ない。
２．専用の小分け用具が要らない。
３．小分け用具の拭き取りがいらない。
４．後始末に手間がかからない。
５．小分け用具の洗浄に余計な手間がかからない。
６．排水の汚染を少なくする。
７．細かい粘性の内容物が排水口のネットを詰まらせない。
【考案を実施するための最良の形態】
【０００６】
以下、本考案の実施形態を図面を参照して説明する。
図１に示すように、ゲル状の流動性の低い物品ジャム、バター、蜂蜜等が入れられ    た、ガラスやプラスチック、金属等で出来た密閉用螺合式容器２に化学樹脂からなる    プルットプ式中蓋１を設置する。プルトップ式中蓋の上に、金属や化学樹脂製の外蓋    を取り付けられピッタリと密閉されている。外蓋を開けプルトップ式中蓋のプルトッ    プ部分９を引き剥がすと、中蓋の不要部分１０が取り除かれ容器頭部の外周に、容器    内のジャム等を取り出す為のスプーンやヘラ、お玉等の小分け用具１１の先の窪みに    合致した複数の凸部が作り出される。さらに作られた凸部の端部どうしを曲線で繋ぐ    事によってそこに新たな複数の凹部が作られる。
ジャム等を取り出す為の小分け用具には表と裏があり、先の窪み部分の深い物や浅    い物、大きさや形状も様々である。
３    
ジャム等を取り出す際、小分け用具の凹部に付着したジャム等を小分け用具の形状    
に合致した中蓋の外周凸部大３・中４・小５にこすり付けて元の容器に戻すことが出    来る。さらに小分け用具の裏面凸部に付着したジャム等は、外周に複数の凸を作る為    に出来た凹部の大６・中７・小８を利用して、こすり付ける事でジャム等を容器に戻    す事も出来る。さらに一度こすり付ける事で全てのジャム等が取り除けなくても、角    度や位置を変えて数回こすり付ける事で小分け用具に付着したジャム等を完全に元に    戻す事が出来る。
また、前記プルトップ式中蓋の不要部分１０を取り除くまでは、密閉用の中蓋とし    て活用できる。
さらに容器は丸型に限らず多角形型にも利用でき、特に大きさも選ばず外蓋を取り    付けることで保存容器としても利用できる。
なおプルトップ式中蓋と言っているが、金属缶等の容器その物がプルットプ式にな    っていてもこの技術内容に含まれる。
【産業上の利用可能性】
【０００７】
本考案は、食品、工業用品、医薬品などゲル状で流動性の低い様々な物品の容器に    用いることが出来る。
【図面の簡単な説明】
【０００８】
【図１】プルトップ式中蓋の斜視図である。
【図２】小分け道具の斜視図である。
【図３】プルトップ式中蓋の不要部分を取り除いた平面図である。
【図４】プルトップ式中蓋を取り付けた状態の断面図である。
【図５】プルトップ式中蓋の不要部分を取り除いた断面図である。
【図６】プルトップ式中蓋を取り付けた容器の斜視図である。
【図７】プルトップ式中蓋を取り付けて不要部分を取り除いた斜視図である。
【符号の説明】
【０００９】
１  プルトップ式中蓋
２  容器
３  凸部大
４  凸部中
４
５  凸部小
６  凹部大
７  凹部中
８  凹部小
９  プルトップ
１０  不要部分
１１  小分け用具
【図１】
0003148670.tif 000003
【図２】
0003148670.tif 000004
【図３】
0003148670.tif 000005
【図４】
0003148670.tif 000006
【図５】
0003148670.tif 000007
【図６】
0003148670.tif 000008
【図７】
0003148670.tif 000009